(57)【要約】【課題】吸引ホースの先端吸引口から作業者の手足や衣服等は吸引されるような緊急事態が発生した場合、バキューム本体側に行かずとも、作業者単独で吸引口からの吸引作用を停止させることができ、かつ内部の作用している負圧の作用もなくすることができるバキューム緊急停止装置を提供する。【解決手段】バキュームホースの先端部に形成された吸引口に近い部位に吸引経路を遮断できる遮蔽バルブと、この遮蔽バルブより吸引口側に大気開放バルブを設けた。前記遮蔽バルブがボールバルブとすればよい。前記バキュームホースは車両に搭載された吸引手段に接続されていることで車両搭載型のバキューム緊急停止装置とすることができる。前記大気開放バルブは遮蔽バルブと一体に設けられ、アタッチメントとして吸引経路に取り付け可能とすることで任意の箇所にもうけることができる。【選択図】図１
2017218250.tif 000002
【特許請求の範囲】
【請求項１】
バキュームホースの先端部に形成された吸引口に近い部位に吸引経路を遮断できる遮蔽バルブと、この遮蔽バルブより吸引口側に大気開放バルブを設けたことを特徴とするバキューム緊急停止装置。
【請求項２】
前記遮蔽バルブがボールバルブであることを特徴とする請求項１に記載のバキューム緊急停止装置。
【請求項３】
前記バキュームホースは車両に搭載された吸引手段に接続されていることを特徴とする請求項１に記載のバキューム緊急停止装置。
【請求項４】
前記大気開放バルブは前記遮蔽バルブと一体に設けられ、アタッチメントとして前記吸引経路に取り付け可能とされていることを特徴とする請求項１に記載のバキューム緊急停止装置。
【発明の詳細な説明】
【技術分野】
【０００１】
本発明はバキューム緊急停止装置に係り、特にバキューム車両などのようにバキューム装置とバキューム作業点が離れている場合に適用するのに好適な装置に関する。
【背景技術】
【０００２】
一般にゴミ焼却炉などの高熱炉において、使用に伴って炉壁や、炉と排ガス装置の煙道内壁などにはクリンカーが付着している。このクリンカーは燃焼によって生じる灰分、気化物、煤灰などの混合物が炉壁などに付着して層状に固化、成長したものであり、定期的に除去し、撤去する必要がある。通常作業は、除去したクリンカーを野積みにしておき、これを定期的にバキューム車両によって集塵除去する方法がとられる。また、炉の再構築するときの出た煤塵、あるいは高熱炉に使用されるバグフィルターの炉布からの塵埃の除去などでも、同様に吸引して除去する。
【０００３】
このような場合に使用されるバキューム車両は、集塵機を搭載し、集塵機にホースを巻き付けておき、集塵に際して集塵機を稼働し、このホースを繰り出して前述のようなクリンカーの山などの場所まで引き回して用いられる。そして、ホース先端の吸引口からクリンカーや塵埃を吸引して除去するものとしている。
【０００４】
従来のバキューム車両では、作業者が吸引ホースを作業場所まで引き回して使用していた。作業場所までの距離は様々な場合が多く、例えば１００ｍ程度伸ばして使用することも多い。
【０００５】
ところが、作業者が引き回すホースの先端側で何らかの異常が発生した場合、緊急的に集塵機を止める作業が必要になってくる。この場合、集塵機のある車両側に戻って吸引操作盤の停止ボタンを押すか、別の作業員を集塵機の傍に置いておき、その別の作業者によって吸引停止ボタンを押して吸引を停止しなければならない。これに対処する方法として、先行文献１には、吸引口にアタッチメントを取付け、アタッチメント側面に開口（開閉弁）と蓋部を明け、この蓋部の開け閉めによって内部の吸引作用を開口側（開閉弁）に向けるようにして、本来の吸引口からの吸引作用を軽減させるようにしたものが提案されている。
【先行技術文献】
【特許文献】
【０００６】
【特許文献１】特開２００９−２８７１９３号公報
【発明の概要】
【発明が解決しようとする課題】
【０００７】
しかしながら、先行文献１に記載のアタッチメントでは、吸引口の開口面積と開閉弁の開口面積によって分圧された吸引負圧が作用するので、吸引口に作用する吸引負圧を停止することはできない。単に軽減するだけである。
【０００８】
本発明は、上記従来の問題点に着目し、吸引ホースの先端吸引口から作業者の手足や衣服等は吸引されるような緊急事態が発生した場合、バキューム本体側に行かずとも、作業者単独で吸引口からの吸引作用を停止させることができ、かつ内部の作用している負圧の作用もなくすることができるバキューム緊急停止装置を提供することを目的とする。
【課題を解決するための手段】
【０００９】
上記目的を達成するために、本発明に係るバキューム緊急停止装置は、バキュームホースの先端部に形成された吸引口に近い部位に吸引経路を遮断できる遮蔽バルブと、この遮蔽バルブより吸引口側に大気開放バルブを設けたことを特徴とするものである。
【００１０】
この場合、前記遮蔽バルブがボールバルブであるように構成すればよく、また、前記バキュームホースは車両に搭載された吸引手段に接続した構成としてもよい。さらに、前記大気開放バルブは遮蔽バルブと一体に設けられ、アタッチメントとして吸引経路に取り付け可能とされていることを特徴とする。
【発明の効果】
【００１１】
上記のように構成したバキューム緊急停止装置によれば、緊急時に近くにある遮蔽バルブを閉めることにより、吸引手段と吸引口の経路が遮断する。そして、まだ吸引口側は真空状態になっているので、今度は大気開放バルブの操作を行い、バルブを開いて吸引口側のホースを大気開放する。これにより吸引口側に起こっている不測の状態を回避することができるのである。
【図面の簡単な説明】
【００１２】
【図１】本実施例に係るバキューム緊急停止装置を組み込んだホースを用いたバキューム作業状態の説明図である。
【図２】本実施例に係るバキューム緊急停止装置を構成する遮蔽バルブと大気開放バルブのアッタッチメントの正面図である。
【図３】遮蔽バルブの構成説明図である。
【発明を実施するための形態】
【００１３】
以下に、本発明の実施形態につき、図面を参照しながら、詳細に説明する。
図１は実際の作業状態を示すもので、バキューム車両１０に搭載してバキューム機器１２からバキュームホース１４を繰り出している。この車両１０から実際の作業場所であるクリンカー山１６まで１００ｍ以上ある場合、バキュームホース１４は、同様に１００ｍ以上繰り出される。このような時に、バキュームホース１４の先端が誤って、着ている作業服などを吸引した場合、吸引力が強く作業者１８を傷つけてしまうため、緊急に吸引を停止する必要がある。従来はこのような緊急時には車両に戻って吸引停止を行っていたが、この実施形態では、バキュームホース１４の先端部から５〜１０ｍの範囲内に、バキューム緊急停止装置である中継バルブ２０を取付けている。
【００１４】
このバキューム緊急停止装置である中継バルブ２０は、図１に示すように、実際の作業箇所であるホース吸引口２２から５〜１０ｍの範囲内に図２に示すようなアタッチメントとして構成されている。
【００１５】
すなわち、バキュームホース１４の先端部に形成されたホース吸引口２２に近い部位（例えば、先端から５〜１０ｍ）に吸引経路を遮断できる遮蔽バルブ２６と、この遮蔽バルブ２６より吸引口側に大気開放バルブ２８を設けた構成からなる。
【００１６】
まず、遮蔽バルブ２６は吸引経路を遮断できるようにされ、これはボールバルブからなる。遮蔽バルブ２６は、図３に示されるように、バキューム機器１２側とホース吸引口２２に至る貫通路３０が開口されたボデー３２と、この貫通路３０の開閉するボール弁３４、及び弁座を構成するシート３６から構成されている。ボデー３２を９０度回転することにより、ボデー３２に設けた連通路３８が貫通路３０と断続され、通路閉止・通路開放作用をなす。その操作をするのがボール弁３４から立設貫通されボデー３２の外部で伸びたステム４０と、ステム先端に取り付けられた操作ハンドル４２である。したがって、操作ハンドル４２の操作によって、貫通路３０が開閉し、バキューム機器１２とホース吸引口２２が連通し、あるいは遮断される。
【００１７】
このボデー３２の一方にはバキューム機器１２とのホース接続をなす第１接続口４４が設けられ、これにはカムロック機構４６が設けられて、バキューム機器１２側のホース１４の緊結を図るようにしている。カムロック機構４６はホース１４が嵌合する第１筒部４８と、その一端部に形成された第１フランジ５０からなり、ボデー３２とフランジ結合して取り付けられ、第１筒部４８に設けたカムロック機構４６によって、バキューム機器１２側のホース１４との緊結が行われている。
【００１８】
一方、ボデー３２の他方側にはホース吸引口２２との接続をなす第２接続口５２が設けられ、これには前述した大気開放バルブ２８が設けられている。すなわち、第２接続口５２は、ホース吸引口２２に通じるホース１４と接続される第２筒部５４、および第２筒部５４の一端部に設けられ、ボデー３２とフランジ結合される第２フランジ５６とからなる。そして、前述した大気開放バルブ２８が前記第２筒部５４に形成された分岐管５８に設けられている。分岐管５８は、遮蔽バルブ２６を閉じた場合、未だ真空状態にある先端のホース吸引口２２側の吸引通路を開放するためのものである。通常は分岐管５８に設けた大気開放バルブ２８を閉じ、緊急時に遮蔽バルブ２６を閉じた際に大気開放するようになっている。この大気開放バルブ２８もボールバルブにより構成され、基本構成は図３に示すとおりである。
【００１９】
このように構成されたバキューム緊急停止装置は次のように作用する。すなわち、図１に示した作業形態で、作業者１８あるいは吸引作業に支障ある場合、緊急に真空状態を止める必要がある。このような際は、直ぐ傍に位置する緊急停止装置を作動すればよく、これは中継バルブ２０の内、遮蔽バルブ２６の閉鎖動作を行う。これにより、バキューム機器１２側が作動しようとしても遮蔽バルブ２６で閉じられているため、ホース吸引口２２には真空が作用しない。しかし、遮蔽バルブ２６を作動させても、遮蔽バルブ２６より先の吸引口２２側には空気の逃げる場所がないため、未だ真空作用が働いている。このことは吸引口２２に吸い込まれた吸引物の塊や作業服などは吸引口２２が吸着したままであることになる。そこで、今度は大気開放バルブ２８を操作し、これを解放することにより、遮蔽バルブ２６からホース吸引口２２に至る管路は真空状態が解除されて、大気圧となるのである。
【００２０】
このため、緊急事態の発生した場合であっても、本実施形態によれば、作業しているすぐ傍で緊急事態に備えた行動をとることができ、これを遠くにいる作業者まで行かなくても実施できることとなる。
【００２１】
このような作業は例えば、ホース吸引口２２に大きな塊が詰まった状態になった場合にも吸引停止と大気開放を続けて行うことができ、作業の円滑な実行に役に立つものである。
【００２２】
なお、遮蔽バルブ２６と大気開放バルブ２８の開閉動作が連動するように形成してもよい。また、特に遮蔽バルブ２６をボール弁タイプにしたのは吸引物による弁体の摩耗の影響を受けないためである。例えば、バタフライ弁タイプであると弁体の摩耗により閉止機能が損なわれるからである。遮蔽バルブ２６と大気  開放バルブ２８を一体構造としてアタッチメント構造にすることで一体物としてホース１４への着脱が容易になる。
【００２３】
このように本発明では、手元でバキューム機能の緊急停止と残った真空状態の解除作業を同時に行うことができるので、安全性の高いバキューム作業を行うことができる。
【符号の説明】
【００２４】
１０……バキューム車両、１２……バキューム機器、１４……バキュームホース、１６……クリンカー山、１８……作業者、２０……中継バルブ、２２……ホース吸引口、２６……遮蔽バルブ、２８……大気開放バルブ、３０……貫通路、３２……ボデー、３４……ボール弁、３６……弁座シート、３８……連通路、４０……ステム、４２……操作ハンドル、４４……第１接続口、４６……カムロック機構、４８……第１筒部、５０……第１フランジ、５２……第２接続口、５４……第２筒部、５６……第２フランジ、５８……分岐管。
【図１】
2017218250.tif 000003
【図２】
2017218250.tif 000004
【図３】
2017218250.tif 000005
【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
バキュームホースの先端部に形成された吸引口に近い手元部位に吸引経路を遮断できる遮蔽バルブと、この遮蔽バルブより吸引口側に大気開放バルブを一体的に設けたことを特徴とするバキューム緊急停止装置。
【請求項２】
前記遮蔽バルブがボールバルブであることを特徴とする請求項１に記載のバキューム緊急停止装置。
【請求項３】
前記バキュームホースは車両に搭載された吸引手段に接続されていることを特徴とする請求項１に記載のバキューム緊急停止装置。
【請求項４】
前記大気開放バルブは前記遮蔽バルブと一体に設けられ、アタッチメントとして前記吸引経路に取り付け可能とされていることを特徴とする請求項１に記載のバキューム緊急停止装置。
【手続補正２】
【補正対象書類名】明細書
【補正対象項目名】０００９
【補正方法】変更
【補正の内容】
【０００９】
上記目的を達成するために、本発明に係るバキューム緊急停止装置は、バキュームホースの先端部に形成された吸引口に近い手元部位に吸引経路を遮断できる遮蔽バルブと、この遮蔽バルブより吸引口側に大気開放バルブを一体的に設けたことを特徴とするものである。